(57)【要約】【課題】室内等に備え付けられた複数のスピーカに対して、検査用の光源等を必要とせず、一旦、室内等に備え付けられた後であっても、当該スピーカが正常に動作しているか否かを、短時間で容易に検査することができるスピーカ制御装置およびスピーカ検査方法を提供する。【解決手段】本発明のスピーカ制御装置は、ユーザの操作を受け付ける操作受付部と、ユーザの操作に基づいて、複数のスピーカとライトとの動作が独立して制御される通常モードと、複数のスピーカのそれぞれが正常に動作するか否かを検査する検査モードとのいずれかの動作モードを選択するモード選択部と、動作モードに基づいて、複数のスピーカおよびライトの動作を制御する制御部とを備え、制御部は、検査モードの場合、複数のスピーカから検査音を順に出力させ、当該検査音の出力に合わせて、当該検査音が出力されるスピーカに対応するライトを点灯または点滅させる。【選択図】図３
2012222755.tif 000002
【特許請求の範囲】
【請求項１】
室内に備え付けられた複数のスピーカおよびライトの動作を制御するスピーカ制御装置であって、
ユーザの操作を受け付ける操作受付部と、
前記操作受付部によって受け付けられたユーザの操作に基づいて、前記複数のスピーカとライトとの動作が独立して制御される通常モードと、前記複数のスピーカのそれぞれが正常に動作するか否かを検査する検査モードとのいずれかの動作モードを選択するモード選択部と、
前記モード選択部によって選択された動作モードに基づいて、前記複数のスピーカおよびライトの動作を制御する制御部とを備え、
前記制御部は、前記検査モードの場合、前記複数のスピーカから検査音を順に出力させ、当該検査音の出力に合わせて、当該検査音が出力されるスピーカに対応するライトを点灯または点滅させる、スピーカ制御装置。
【請求項２】
前記検査モードにおいて、前記検査音が出力されるスピーカと、当該スピーカに対応するライトとが記録されたデータベースを、さらに備える、請求項１に記載のスピーカ制御装置。
【請求項３】
前記検査音が出力されるスピーカに対応するライトは、少なくとも当該スピーカ周辺に配置されている、少なくとも１つ以上のライトであることを特徴とする、請求項２に記載のスピーカ制御装置。
【請求項４】
前記検査音が出力されるスピーカに対応するライトは、当該スピーカに最も近い呼び出し灯を含むことを特徴とする、請求項３に記載のスピーカ制御装置。
【請求項５】
前記検査音が出力されるスピーカに対応するライトは、当該スピーカに最も近い読書灯を含むことを特徴とする、請求項３に記載のスピーカ制御装置。
【請求項６】
室内に備え付けられた複数のスピーカおよびライトの動作を制御するスピーカ制御装置が実行するスピーカ検査方法であって、
ユーザの操作を受け付ける操作受付ステップと、
前記操作受付ステップで受け付けられたユーザの操作に基づいて、前記複数のスピーカとライトとの動作が独立して制御される通常モードと、前記複数のスピーカのそれぞれが正常に動作するか否かを検査する検査モードとのいずれかの動作モードを選択するモード選択ステップと、
前記モード選択ステップで選択された動作モードに基づいて、前記複数のスピーカおよびライトの動作を制御する制御ステップとを含み、
前記制御ステップは、前記検査モードの場合、前記複数のスピーカから検査音を順に出力させ、当該検査音の出力に合わせて、当該検査音が出力されるスピーカに対応するライトを点灯または点滅させる、スピーカ検査方法。
【発明の詳細な説明】
【技術分野】
【０００１】
本発明は、スピーカ制御装置およびスピーカ検査方法に関し、より特定的には、スピーカが正常に動作しているか否かを検査員に認識させるスピーカ制御装置およびスピーカ検査方法に関する。
【背景技術】
【０００２】
室内等に備え付けられるスピーカについて、当該スピーカが正常に動作するか否かを検査する必要がある。例えば、特許文献１では、スピーカの振動部の表面に非拡散光を入射させて、当該振動部の表面における非拡散光の照射部を、検査員に確認させることによって、当該スピーカが正常に動作しているか否かを検査する技術が開示されている。
【先行技術文献】
【特許文献】
【０００３】
【特許文献１】特開２００６−２７９７５５号公報
【発明の概要】
【発明が解決しようとする課題】
【０００４】
しかしながら、特許文献１に開示されている従来の検査方法では、スピーカの製造直後または工場からの出荷時（出荷直前）においては、正常に動作していないスピーカを検知することができるものの、一旦、例えば、複数のスピーカが室内等に備え付けられた後では、当該スピーカが正常に動作しているか否かを容易に検査することができないという問題がある。
【０００５】
具体的には、従来の検査方法では、室内等に備え付けられた複数のスピーカに対して、１つ１つのスピーカの振動部の表面に、非拡散光を斜めに入射させるための光源を必要とする。換言すれば、スピーカ１つ１つに対応する検査用の光源を必要とし、さらに、スピーカの振動部の表面に対して所定の角度で非拡散光を入射させる必要がある。このため、検査員は、室内等に備え付けられた複数のスピーカ１つ１つに対して、当該スピーカが正常に動作しているか否かを確認することは困難であって、さらに、スピーカの設置位置によっては確認できない場合がある。
【０００６】
それ故に、本発明の目的は、室内等に備え付けられた複数のスピーカに対して、検査用の光源等を必要とせず、一旦、室内等に備え付けられた後であっても、当該スピーカが正常に動作しているか否かを、短時間で容易に検査することができるスピーカ制御装置およびスピーカ検査方法を提供することである。
【課題を解決するための手段】
【０００７】
上記目的を達成するために、本発明のスピーカ制御装置は、室内に備え付けられた複数のスピーカおよびライトの動作を制御するスピーカ制御装置であって、ユーザの操作を受け付ける操作受付部と、操作受付部によって受け付けられたユーザの操作に基づいて、複数のスピーカとライトとの動作が独立して制御される通常モードと、複数のスピーカのそれぞれが正常に動作するか否かを検査する検査モードとのいずれかの動作モードを選択するモード選択部と、モード選択部によって選択された動作モードに基づいて、複数のスピーカおよびライトの動作を制御する制御部とを備え、制御部は、検査モードの場合、複数のスピーカから検査音を順に出力させ、当該検査音の出力に合わせて、当該検査音が出力されるスピーカに対応するライトを点灯または点滅させる。
【０００８】
好ましくは、検査モードにおいて、検査音が出力されるスピーカと、当該スピーカに対応するライトとが記録されたデータベースを、さらに備える。
【０００９】
また、典型的には、検査音が出力されるスピーカに対応するライトは、少なくとも当該スピーカ周辺に配置されている、少なくとも１つ以上のライトであることを特徴とする。
【００１０】
さらに、好ましい検査音が出力されるスピーカに対応するライトは、当該スピーカに最も近い呼び出し灯を含むことを特徴とする。
【００１１】
また、好ましい検査音が出力されるスピーカに対応するライトは、当該スピーカに最も近い読書灯を含むことを特徴とする。
【００１２】
上記目的を達成するために、本発明のスピーカ検査方法は、室内に備え付けられた複数のスピーカおよびライトの動作を制御するスピーカ制御装置が実行するスピーカ検査方法であって、ユーザの操作を受け付ける操作受付ステップと、操作受付ステップで受け付けられたユーザの操作に基づいて、複数のスピーカとライトとの動作が独立して制御される通常モードと、複数のスピーカのそれぞれが正常に動作するか否かを検査する検査モードとのいずれかの動作モードを選択するモード選択ステップと、モード選択ステップで選択された動作モードに基づいて、複数のスピーカおよびライトの動作を制御する制御ステップとを含み、制御ステップは、検査モードの場合、複数のスピーカから検査音を順に出力させ、当該検査音の出力に合わせて、当該検査音が出力されるスピーカに対応するライトを点灯または点滅させる。
【００１３】
また、上記目的を達成するために、上述した本発明のスピーカ制御装置の各構成が行うそれぞれの処理は、一連の処理手順を与えるスピーカ検査方法として捉えることができる。この方法は、一連の処理手順をコンピュータに実行させるためのプログラムの形式で提供される。このプログラムは、コンピュータ読み取り可能な記録媒体に記録された形態で、コンピュータに導入されてもよい。
【発明の効果】
【００１４】
上述のように、本発明のスピーカ制御装置およびスピーカ検査方法によれば、室内等に備え付けられた複数のスピーカに対して、検査用の光源等を必要とせず、一旦、室内等に備え付けられた後であっても、当該スピーカが正常に動作しているか否かを、短時間で容易に検査することができる。
【図面の簡単な説明】
【００１５】
【図１】航空機内における座席、スピーカ、および呼び出し灯の配置の一例を示す概略図
【図２】スピーカの検査時における、スピーカと呼び出し灯との関連を示す図
【図３】本発明の一実施形態に係るスピーカ制御装置１００を示す機能ブロック図
【図４】スピーカと呼び出し灯との対応付けを格納するデータベースの一例を示す図
【図５】本発明の一実施形態に係るスピーカ制御装置１００が実行するスピーカ検査方法５００の処理の流れを示すフローチャート
【図６】本発明の一実施形態に係るスピーカ制御装置１１０を示す機能ブロック図
【図７】航空機内における座席、スピーカ、呼び出し灯、および読書灯の配置の一例を示す概略図
【発明を実施するための形態】
【００１６】
以下、本発明の一実施形態について、図面を参照しながら説明する。
図１は、航空機内における座席、スピーカ、および呼び出し灯の配置の一例を示す概略図である。図１において、航空機内には、座席Ａ１〜Ｅ５が備えられており、さらに、第１のスピーカ１０１〜第６のスピーカ１０６と、第１の呼び出し灯２０１〜第１０の呼び出し灯２１０とが配置されている。
【００１７】
座席Ａ１〜Ｅ５には、それぞれ乗客が着席する。
【００１８】
第１のスピーカ１０１〜第６のスピーカ１０６からは、航空機における機内アナウンス等の音声、および注意喚起のためのチャイム音等が出力される。
【００１９】
第１の呼び出し灯２０１〜第１０の呼び出し灯２１０は、例えば、座席Ａ１〜Ｅ５のそれぞれにおいて呼び出しボタンが設置されており、乗客が呼び出しボタンを押下することによって点灯する。ここでは所定単位で１つの呼び出し灯が設置されており、例えば、座席Ａ１、座席Ｂ１、および座席Ｃ１のうち、いずれかの座席の乗客が呼び出しボタンを押下すると、第１の呼び出し灯２０１が点灯する。その結果、乗務員は、座席Ａ１、座席Ｂ１、および座席Ｃ１のうち、いずれかの座席の乗客が呼び出しボタンを押下したことが認識できる。また、座席Ｄ１、および座席Ｅ１のうち、いずれかの座席の乗客が呼び出しボタンを押下すると、第２の呼び出し灯２０２が点灯する。その結果、乗務員は、座席Ｄ１、および座席Ｅ１のうち、いずれかの座席の乗客が呼び出しボタンを押下したことが認識できる。第３の呼び出し灯２０３〜第１０の呼び出し灯２１０についても、同様の機能である。
【００２０】
ここまでは、航空機内に備え付けられたスピーカと呼び出し灯とが独立して動作する通常モードである。換言すれば、航空機内に備え付けられたスピーカは、航空機における機内アナウンス等の音声、および注意喚起のためのチャイム音等を出力し、第１の呼び出し灯２０１〜第１０の呼び出し灯２１０は、乗客が呼び出しボタンを押下することによって点灯して、独立してそれぞれの機能を発揮している。
【００２１】
次に、航空機内に既に備え付けられている第１のスピーカ１０１〜第６のスピーカ１０６のそれぞれが正常に動作するか否かを検査する検査モードについて詳しく説明する。検査モードでは、上述した第１の呼び出し灯２０１〜第１０の呼び出し灯２１０を用いて、第１のスピーカ１０１〜第６のスピーカ１０６のそれぞれが正常に動作するか否かを検査する。
【００２２】
第１のスピーカ１０１〜第６のスピーカ１０６において、順に検査音を出力させて、第１のスピーカ１０１〜第６のスピーカ１０６のそれぞれが正常に動作するか否かを検査する。その際、当該検査音の出力に合わせて、当該検査音が出力されるスピーカに対応する呼び出し灯を点灯させる。
【００２３】
図２は、スピーカの検査時における、スピーカと呼び出し灯との関連を示す図である。図２において、第１のスピーカ１０１と第１の呼び出し灯２０１とが対応付けられ、第２のスピーカ１０２と第２の呼び出し灯２０２とが対応付けられ、第３のスピーカ１０３と第５の呼び出し灯２０５とが対応付けられ、第４のスピーカ１０４と第６の呼び出し灯２０６とが対応付けられ、第５のスピーカ１０５と第９の呼び出し灯２０９とが対応付けられ、第６のスピーカ１０６と第１０の呼び出し灯２１０とが対応付けられている。
【００２４】
そして、例えば、第３のスピーカ１０３から検査音を出力させて、第３のスピーカ１０３が正常に動作するか否かを検査する際、当該検査音の出力に合わせて、第５の呼び出し灯２０５を点灯させている。
【００２５】
仮に、第３のスピーカ１０３が故障している場合では、第５の呼び出し灯２０５を点灯しているにも拘わらず、検査員は、検査音を全く認識できないため、第５の呼び出し灯２０５に対応する第３のスピーカ１０３が故障していることが容易に認識できる。
【００２６】
さらに、上述した通常モードおよび検査モードを切り替えながら、スピーカおよび呼び出し灯の動作を制御するスピーカ制御装置について、詳しく説明する。
【００２７】
図３は、本発明の一実施形態に係るスピーカ制御装置１００を示す機能ブロック図である。図３において、スピーカ制御装置１００は、操作受付部３０１と、モード選択部３０２と、制御部３０３と、データベース３０４と、複数の駆動部（ここでは、第１の駆動部３１１、第２の駆動部３１２、第３の駆動部３１３・・・、第Ｎの駆動部）と、複数のスピーカ（ここでは、第１のスピーカ１０１、第２のスピーカ１０２、第３のスピーカ１０３・・・、第Ｎのスピーカ）と、複数の呼び出し灯（ここでは、第１の呼び出し灯２０１、第２の呼び出し灯２０２、第３の呼び出し灯２０３・・・、第Ｎの呼び出し灯）とを備える。
【００２８】
操作受付部３０１は、ユーザの操作を受け付ける。具体的には、ユーザが、航空機内に備え付けられた複数のスピーカが正常に動作するか否かを検査する際に、スピーカ制御装置１００を検査モードで動作させるように、動作モードを通常モードから検査モードに切り替え操作をする。例えば、航空機が乗客を乗せる前に、航空機内に備え付けられたスピーカが正常に動作するか否かを検査する場合に、動作モードを通常モードから検査モードに切り替えられる。
【００２９】
モード選択部３０２は、操作受付部３０１によって受け付けられたユーザの操作に基づいて、通常モードと検査モードとのいずれかの動作モードを選択する。ここでは、スピーカ制御装置１００の動作モードは、通常モードから検査モードに切り替えられるものとする。
【００３０】
制御部３０３は、モード選択部３０２によって選択された動作モードに基づいて、複数のスピーカおよび呼び出し灯の動作を制御する。検査モードの場合、制御部３０３は、第１のスピーカ１０１から検査音を出力させ、同時に、第１の呼び出し灯２０１を点灯させるように、第１の駆動部３１１を制御する。同様に、順に、制御部３０３は、第２の駆動部３１２を制御して、第２のスピーカ１０２から検査音を出力させ、同時に、第２の呼び出し灯２０２を点灯させ、次に、第３の駆動部３１３を制御して、第３のスピーカ１０３から検査音を出力させ、同時に、第３の呼び出し灯２０３を点灯させる。このように、制御部３０３は、航空機内に備え付けられた複数のスピーカから検査音を順に出力させ、当該検査音の出力に合わせて、当該検査音が出力されるスピーカに対応する呼び出し灯を点灯させることを繰り返す。
【００３１】
なお、制御部３０３と各駆動部とは、例えば、ハブ等を介して、Ｅｔｈｅｒｎｅｔ（登録商標）で接続されている。各駆動部は、制御部３０３からＥｔｈｅｒｎｅｔを介して、スピーカ検査コマンドを受信し、スピーカから検査音を出力し、同時に、当該検査音が出力されるスピーカに対応する呼び出し灯を点灯させる。
【００３２】
データベース３０４には、検査モードにおいて、検査音が出力されるスピーカと、当該スピーカに対応する呼び出し灯とが紐付けられて記録されている。図４は、スピーカと呼び出し灯との対応付けを格納するデータベースの一例を示す図である。図４において、データベースには、検査順と、スピーカ検査コマンドの送信先である各駆動部のＩＰアドレスと、検査対象である各スピーカのポートＩＤと、検査対象スピーカに対応して点灯する各呼び出し灯のポートＩＤとが予め記録されている。
【００３３】
なお、ここでは、各駆動部、各スピーカ、および各呼び出し灯について、ＩＰアドレスおよびポートＩＤを用いて一意に特定しているが、これらに限定されるものではなく、一意に特定できる識別情報であれば、その他の情報を用いても構わない。
【００３４】
さらに、スピーカ検査コマンドを各駆動部に送信する間隔（所定の時間Ｔ１）、各スピーカから出力される検査音の種類および大きさ（例えば、周波数情報、チャイムの種類、Ｗａｖファイル等で音源の設定など）、および当該検査音を出力する期間Ｔ２なども、データベースに予め記録されていても構わない。
【００３５】
また、スピーカ検査コマンドは、検査開始コマンドおよび検査終了コマンドを用いても構わない。具体的には、検査開始コマンドによって、検査対象スピーカから検査音を出力させ、かつ当該検査音が出力されるスピーカに対応する呼び出し灯を点灯させて、期間Ｔ２経過後に、検査終了コマンドによって、当該スピーカから検査音の出力を停止させ、かつ当該呼び出し灯を消灯させる。
【００３６】
なお、典型的には、各スピーカが正常に動作しているか否かを確認する検査員は、航空機内の通路（図１および図２では、Ｃ列席とＤ列席との間）を移動しながら、スピーカから出力される検査音と点灯する呼び出し灯とを順に確認する。したがって、所定の時間Ｔ１および期間Ｔ２は、検査員が、スピーカから出力される検査音と点灯する呼び出し灯とを確認する時間、および次のスピーカと呼び出し灯とを確認するために移動する速度等を考慮して、例えば、数秒から数十秒に設定されればよい。さらには、航空機の大きさ、およびスピーカの配置位置等も考慮して設定されてもよい。
【００３７】
次に、本発明の一実施形態に係るスピーカ制御装置１００が実行するスピーカ検査方法の処理の流れについて、詳しく説明する。図５は、本発明の一実施形態に係るスピーカ制御装置１００が実行するスピーカ検査方法５００の処理の流れを示すフローチャートである。
【００３８】
先ず、操作受付部３０１は、ユーザの操作によって検査モードを受け付けた場合、スピーカ検査方法５００の処理が開始される（検査開始）。
【００３９】
ステップＳ５０１において、制御部３０３は、前処理として、全てのスピーカの動作を停止させ、検査対象となるスピーカに対応する全ての呼び出し灯を消灯させる。
【００４０】
ステップＳ５０２において、制御部３０３は、検査対象となるスピーカから検査音を出力させ、同時に、当該スピーカに対応する呼び出し灯を点灯させる。具体的には、制御部３０３は、データベース３０４に予め記録されている順序に応じて、駆動部に検査開始コマンドを送信する。これにより、検査対象となるスピーカから検査音が出力され、同時に、当該スピーカに対応する呼び出し灯が点灯する。
【００４１】
ステップＳ５０３において、制御部３０３は、所定時間待機する。ここで、所定時間とは、検査員が検査対象となっているスピーカからの検査音と、当該スピーカに対応する呼び出し灯とを確認するための時間である。待機とは、例えば、当該検査員が確認するための期間、現在検査対象となっているスピーカの検査処理を終了しないこと、または、現在検査対象となっているスピーカから次に検査対象となるスピーカへ、検査処理を移行しないことである。
【００４２】
ここで、検査員が検査対象となっているスピーカからの検査音を確認し、例えば、異音を認識した場合、または検査音が認識できない場合には、当該スピーカに対応する呼び出し灯の点灯に基づいて、航空機内に備え付けられた複数のスピーカのうち、いずれのスピーカが正常に動作していないかを容易に特定することができる。
【００４３】
ステップＳ５０４において、制御部３０３は、検査対象となっているスピーカからの検査音の出力を停止させ、同時に、当該スピーカに対応する呼び出し灯を消灯させる。具体的には、制御部３０３は、ステップＳ５０２で検査開始コマンドを送信した駆動部に対して、検査終了コマンドを送信する。これにより、検査対象となっているスピーカからの検査音の出力が停止し、同時に、当該スピーカに対応する呼び出し灯が消灯する。
【００４４】
なお、制御部３０３が、ステップＳ５０２で検査開始コマンドを送信するタイミング、ステップＳ５０４で検査終了コマンドを送信するタイミング、検査音を出力する期間、および呼び出し灯を点灯させる期間などは、データベース３０４に予め記録されており、制御部３０３は、当該データベース３０４を参照しながら、処理を実行する。
【００４５】
ステップＳ５０５において、制御部３０３は、全てのスピーカが検査済みか否かを判定する。全てのスピーカが検査済みである場合（ステップＳ５０５のＹｅｓ）、スピーカ検査方法５００の処理が終了される（検査終了）。一方、全てのスピーカが検査済みでない場合（ステップＳ５０５のＮｏ）、ステップＳ５０２の処理に戻り、制御部３０３は、検査対象となる次のスピーカの検査を実行する。
【００４６】
なお、スピーカ検査方法５００の処理が終了される（検査終了）場合、全てのスピーカおよび検査対象となるスピーカに対応する全ての呼び出し灯について、ステップＳ５０１で前処理を実行していたため、検査開始直前の状態に戻しても構わない。
【００４７】
以上のように、本発明の一実施形態に係るスピーカ制御装置１００およびスピーカ検査方法５００によれば、航空機内に備え付けられた複数のスピーカに対して、通常用いられる呼び出し灯を利用しながら検査を実施するため、検査用の光源等を必要とせず、一旦、航空機内に備え付けられた後であっても、当該スピーカが正常に動作しているか否かを、短時間で容易に検査することができる。
【００４８】
また、本発明の一実施形態に係るスピーカ制御装置１００では、検査対象となるスピーカ、当該スピーカに対応する呼び出し灯、検査する順序、検査音の種類、検査結果の確認時間等が含まれる検査手順および検査情報を、データベース３０４に管理していた。このため、例えば、航空機内の座席、スピーカ、および呼び出し灯の配置が変更された場合、検査対象となるスピーカの数が増減した場合、検査音の種類を変更する場合であっても、制御部３０３が実行する検査プログラム（ソフトウェア）などを修正する必要がなく、データベース３０４に記録されている情報を更新するだけで構わない。
【００４９】
なお、本発明の一実施形態に係るスピーカ制御装置１００におけるデータベース３０４では、上述した検査手順および検査情報等を一括管理していたが、これに限定されるものではない。例えば、制御部３０３が参照するデータベースには、スピーカ検査コマンドを送信する各駆動部の情報のみを記録しておき、各駆動部において、検査対象となるスピーカおよび当該スピーカに対応する呼び出し灯の情報を保持していても構わない。
【００５０】
図６は、本発明の一実施形態に係るスピーカ制御装置１１０を示す機能ブロック図である。図６において、スピーカ制御装置１１０は、は、操作受付部３０１と、モード選択部３０２と、制御部３０３と、データベース３０５と、複数の駆動部と、当該複数の駆動部それぞれが保持する複数のデータベース（ここでは、データベース３０６、３０７、３０８・・・）と、複数のスピーカと、複数の呼び出し灯とを備える。
【００５１】
スピーカ制御装置１１０の基本的な構成は、図３に示したスピーカ制御装置１００の構成と同様であるため、同一の構成については、同一の参照符号を付すことによって詳細な説明は省略する。
【００５２】
検査モードの場合、制御部３０３は、第１のスピーカ１０１から検査音を出力させ、同時に、第１の呼び出し灯２０１を点灯させるように、第１の駆動部３１１を制御する。ここで、制御部３０３が参照するデータベース３０５には、第１の駆動部３１１に関する情報が記録されている。例えば、データベース３０５には、スピーカ検査コマンドの送信先である各駆動部のＩＰアドレス、および当該スピーカ検査コマンドを送信する順序およびタイミング等が記録されていればよい。
【００５３】
そして、例えば、第１の駆動部３１１は、スピーカ検査コマンドを受信すれば、データベース３０６を参照して、検査対象となる第１のスピーカ１０１から検査音を出力させ、当該第１のスピーカ１０１に対応する第１の呼び出し灯２０１を点灯させる。ここで、第１の駆動部３１１が参照するデータベース３０６には、第１のスピーカ１０１および第１の呼び出し灯２０１に関する情報が記録されている。例えば、データベース３０６には、第１のスピーカ１０１および第１の呼び出し灯２０１のポートＩＤが記録されており、さらには、第１のスピーカ１０１から出力される検査音の種類および大きさ等が記録されていても構わない。
【００５４】
なお、その他、各駆動部に保持されるデータベース（図６では、データベース３０７、３０８等）にも、各駆動部に対応するスピーカおよび呼び出し灯に関する情報が記録されている。
【００５５】
このように、本発明の一実施形態に係るスピーカ制御装置１１０では、各駆動部において、検査対象となるスピーカおよび当該スピーカに対応する呼び出し灯の情報を記録するデータベースを保持している。このため、例えば、故障したスピーカの取り替え等が発生した場合であっても、当該スピーカに関する情報が記録されているデータベースのみを更新すればよく、制御部３０３が実行する検査プログラム（ソフトウェア）、または他のデータベースなどを修正する必要がない。
【００５６】
また、本発明の一実施形態では、検査対象であるスピーカから検査音が出力され、同時に、当該スピーカに対応する呼び出し灯を点灯させることによって、検査員は、航空機内に備え付けられた複数のスピーカのうち、いずれのスピーカが正常に動作していないかを特定していたが、点灯させるライトは、呼び出し灯に限定させるものではない。例えば、航空機内の各座席に設置された読書灯であっても構わない。読書灯とは、各座席に着席した乗客が、例えば、読書する場合など、手元に照明を当てたい場合に利用するライトである。
【００５７】
図７は、航空機内における座席、スピーカ、呼び出し灯、および読書灯の配置の一例を示す概略図である。図７において、各座席には、読書灯が設置されている。そして、第１のスピーカ１０１と座席Ａ１、Ｂ１、Ｃ１に設置された読書灯とが対応付けられ、第２のスピーカ１０２と座席Ｄ１、Ｅ１に設置された読書灯とが対応付けられ、第３のスピーカ１０３と座席Ａ３、Ｂ３、Ｃ３に設置された読書灯とが対応付けられ、第４のスピーカ１０４と座席Ｄ３、Ｅ３に設置された読書灯とが対応付けられ、第５のスピーカ１０５と座席Ａ５、Ｂ５、Ｃ５に設置された読書灯とが対応付けられ、第６のスピーカ１０６と座席Ｄ５、Ｅ５に設置された読書灯とが対応付けられている。
【００５８】
そして、例えば、第３のスピーカ１０３から検査音を出力させて、第３のスピーカ１０３が正常に動作するか否かを検査する際、当該検査音の出力に合わせて、座席Ａ３、Ｂ３、Ｃ３に設置された読書灯を点灯させている。
【００５９】
仮に、第３のスピーカ１０３が故障している場合では、座席Ａ３、Ｂ３、Ｃ３に設置された読書灯を点灯しているにも拘わらず、検査員は、検査音を全く認識できないため、座席Ａ３、Ｂ３、Ｃ３に設置された読書灯に対応する第３のスピーカ１０３が故障していることが容易に認識できる。
【００６０】
なお、ここでは、１つのスピーカに対して、２つまたは３つの読書灯を点灯させる構成としたが、１つのスピーカに対して、当該スピーカに最も近い座席に設置された１つの読書灯のみを点灯させる構成にしても構わない。
【００６１】
また、１つのスピーカに対して、図２に示したような呼び出し灯、および図７に示したような読書灯を点灯させる構成にしても構わない。
【００６２】
さらには、航空機内に備え付けられた複数のスピーカのうち、検査音を出力しているスピーカが認識できる手法であれば、呼び出し灯および／または読書灯の点灯に限らず、例えば、呼び出し灯および／または読書灯を点滅させても構わない。また、航空機内に備え付けられているその他のライトを利用しても構わない。
【００６３】
また、検査音を出力しているスピーカを検査員に認識させるために、呼び出し灯および／または読書灯など、航空機内に備え付けられているライトを用いたが、検査音を出力しているスピーカが認識できる手法であれば、その他の手法を用いても構わない。例えば、検査員が確認可能なモニタに、検査音を出力しているスピーカの配置位置を表示したり、識別番号を表示したりしても構わない。
【００６４】
なお、本発明の一実施形態では、図１、図２、および図７に示したように、３列および２列を構成する座席配置である、所謂、中・小型航空機を一例に説明したが、本発明の適用は、これに限定されるものではない。例えば、座席、スピーカ、呼び出し灯、読書灯、およびモニタなどは、それらの数および配置は、航空機の大きさおよび種類によって様々である。本発明は、これらの様々な航空機、さらには、室内にスピーカが備え付けられたバス、電車、および会議室などにも適用可能である。
【産業上の利用可能性】
【００６５】
本発明は、室内に備え付けられた複数のスピーカの動作を制御するスピーカ制御装置等に有用である。
【符号の説明】
【００６６】
Ａ１〜Ｅ５    座席
１００、１１０    スピーカ制御装置
１０１〜１０６    スピーカ
２０１〜２１０    呼び出し灯
３０１    操作受付部
３０２    モード選択部
３０３    制御部
３０４〜３０８    データベース
３１１〜３１３    駆動部
【図１】
2012222755.tif 000003
【図２】
2012222755.tif 000004
【図３】
2012222755.tif 000005
【図４】
2012222755.tif 000006
【図５】
2012222755.tif 000007
【図６】
2012222755.tif 000008
【図７】
2012222755.tif 000009